【手続補正書】
【提出日】平成19年2月22日(2007.2.22)
【手続補正１】
【補正対象書類名】明細書
【補正対象項目名】特許請求の範囲
【補正方法】変更
【補正の内容】
【特許請求の範囲】  
【請求項１】
延びた形状で被検体の食道内に好適に位置される先端湾曲部（５０）および可撓部（４９）と、
前記湾曲部（５０）または可撓部（４５）に配置されたステープル射出装置（６１）を備えたステープリングアッセンブリ（６１，６１Ａ）とを備え、
２つの別個の要素（６２，６２Ａ）を含み、一方の要素が前記先端湾曲部（５０）に配置され、他方の要素が前記可撓部（４９）に配置される位置決めアッセンブリと、前記位置決めアッセンブリ（６２，６２Ａ）の前記２つの別個の要素が位置合わせされる時に、前記ステープル射出装置（６１）が作動位置関係を成し、
前記位置決めアッセンブリ（６２，６２Ａ）の前記２つの別個の要素が位置合わせされた時点を判断する回路とを更に備えている部分胃底皺襞形成術のための内視鏡装置（４０）。
【請求項２】
ステープリングアッセンブリがアンビル（６１Ａ）を更に備え、前記アンビル（６１Ａ）および前記ステープル射出装置（６１）の一方が前記湾曲部に配置され、他方が前記可撓部に配置され、前記位置決めアッセンブリ（６２，６２Ａ）の前記２つの別個の要素が位置合わせされる時に、前記アンビル（６１Ａ）と前記ステープル射出装置（６１）とが作動位置関係を成す請求項１に記載の装置。
【請求項３】
位置決めアッセンブリ（６２，６２Ａ）の前記２つの別個の要素が位置合わせされない時に、ステープル射出装置（６１，６１Ａ）が動作できないようにする安全手段を備えている請求項１または請求項２に記載の装置。
【請求項４】
観察手段（１１３）を備えている請求項１に記載の装置。
【請求項５】
観察手段（１１３）がビデオカメラを備えている請求項４に記載の装置。
【請求項６】
観察手段（１１３）が照明装置（１１４）を備えている請求項４に記載の装置。
【請求項７】
従来の内視鏡装置および附属部品を備えている請求項１に記載の装置。
【請求項８】
従来の内視鏡装置および附属部品は、水や空気のための供給源や吸引源（１１２）を備えている請求項７に記載の装置。
【請求項９】
内視鏡装置（４０，６６）が作動位置にある時に、胃と食道との接合部よりも約５から６ｃｍ上側の位置で、ステープリングアッセンブリの一部を食道内に位置決めするための位置決めアッセンブリ（６４）を更に備えている請求項１に記載の装置。
【請求項１０】
ステープリングアッセンブリの一部がアンビル（６１Ａ）を備えている請求項９に記載の装置。
【請求項１１】
ステープリングアッセンブリの一部は、これに設けられた雌ネジと螺合する柔軟なネジ付きケーブル（９２）の作用によって、内視鏡装置の中心軸に沿って変異する請求項９または請求項１０に記載の装置。
【請求項１２】
柔軟なネジ付きケーブル（９２）は、内視鏡装置内に配置されるとともに、内視鏡装置の本体の壁部に設けられたスリット（９１）を介して雌ネジと接触する請求項１１に記載の装置。
【請求項１３】
柔軟なネジ付きケーブル（９２）は、内視鏡装置（４０，６６）の外壁中に組み込まれるとともに、ステープリングアッセンブリの前記一部の雌ネジと直接に接触する請求項１１に記載の装置。
【請求項１４】
柔軟なネジ付きケーブル（９２）は、マイクロメトリック・アッセンブリを使用して回転され、これにより、食道内に位置されたステープリングアッセンブリの前記一部を、定められた距離だけ変位させる請求項１１ないし請求項１３のいずれか１項に記載の装置。
【請求項１５】
アンビル（６１）が本質的にリング形状を成している請求項１０に記載の装置。
【請求項１６】
位置決めアッセンブリ（６２Ａ）の先端部が先端（６３）に設けられている請求項１に記載の装置。
【請求項１７】
位置決めアッセンブリ（６２Ａ）の先端部が先端（６３）の外壁に設けられている請求項１に記載の装置。
【請求項１８】
ステープリングアッセンブリ（６１Ａ）の先端部が先端（６３）に設けられている請求項１に記載の装置。
【請求項１９】
ステープリングアッセンブリ（６１Ａ）の先端部が先端（６３）の外壁に設けられている請求項１に記載の装置。
【請求項２０】
ステープル射出部（６１）とアンビル部（６１Ａ）とを備え、前記ステープル射出部（６１）のうちの１つおよび前記アンビル部（６１Ａ）のうち１つは、前記内視鏡装置の長手方向軸に沿って互いに長手方向で離間して位置され、前記可撓部（１０２）の少なくとも一部は、これらステープル射出部とアンビル部の間に位置している請求項１に記載の前記ステープリングアッセンブリを備えた手術用内視鏡装置。
【請求項２１】
ステープル射出部（６１）またはアンビル部（６１Ａ）の一方に格納された１または複数の位置合わせ／固定ピン（１２１）が、前記ステープル射出部または前記アンビル部の他方に設けられたレセプタクル内へと延びて係合固定すると、ステープリング装置の部品が正確な作動関係を成す請求項２０に記載の装置。
【請求項２２】
位置合わせ／固定ピン（１２１）は、これらが格納されるステープリング装置の一部から突没する請求項２１に記載の装置。
【請求項２３】
デュアルラック（１２３）およびシグルピニオン（１２４）システムが使用されて位置合わせ／固定ピン（１２１）が動作される請求項２２に記載の装置。
【請求項２４】
位置合わせ／固定ピン（１２１）は、ステープリング装置の一部にもうけられたレセプタクル（１４２）に対して係脱することができる請求項２１に記載の装置。
【請求項２５】
２つの位置合わせ／固定ピン（１２１）が設けられている請求項２１に記載の装置。
【請求項２６】
位置合わせ／固定ピン（１２１）がアンビル部（１１５）に格納されている請求項２１に記載の装置。
【請求項２７】
ステープル射出部（６１）またはアンビル部（６１Ａ）の一方は、可撓部（１０２）の基端の近傍に配置され、前記ステープル射出部（６１）または前記アンビル部（６１Ａ）の他方は、前記可撓部（１０２）の先端の近傍に配置されている請求項２０に記載の装置。
【請求項２８】
ステープル射出部（６１）が可撓部（１０２）の基端の近傍に配置され、アンビル部（６１Ａ）が前記可撓部（１０２）の先端（１０３）に配置されている請求項２７に記載の装置。
【請求項２９】
ステープル射出部（６１）またはアンビル部（６１Ａ）の一方が内視鏡装置の可撓部（１０２）に配置され、ステープル射出部（６１）またはアンビル部（６１Ａ）の他方が前記可撓部（１０２）の先端の近傍に配置されている請求項２０に記載の装置。
【請求項３０】
ステープル射出部（６１）の１つおよびアンビル部（６１Ａ）ののうちの１つが可撓部（１０２）に配置されている請求項２０に記載の装置。
【請求項３１】
可撓部（１０２）が関節部である請求項２０に記載の装置。
【請求項３２】
関節部（１０２）が２方向関節部である請求項３１に記載の装置。
【請求項３３】
関節部（１０２）が４方向関節部である請求項３１に記載の装置。
【請求項３４】
関節部（１０２）の動作によって、ステープリング装置の部品が正確な作動関係を成す請求項３１に記載の装置。
【請求項３５】
ステープル射出部（６１）は、１または複数のステープルアレー（１４１）を収容するステープルカートリッジ（１３１）を有し、各ステープルアレー（１４１）が１または複数のステープルから成る請求項２０に記載の装置。
【請求項３６】
近接差動装置（１３２）の作動によって各ステープルアレーが射出された後、ステープルカートリッジ（１３１）が割り出し可能である請求項３５に記載の装置。
【請求項３７】
ステープルアレーの数が３個であり、前記各ステープルアレー内のステープルの数が５個である請求項３５に記載の装置。
【請求項３８】
各ステープルアレーのステープルは、３列に配置され、真ん中の列とピンホールが位置合わせされている請求項３５に記載の装置。
【請求項３９】
ステープリング装置（６１，６１Ａ）の２つの別個の要素が位置合わせされない時に、ステープル射出部が動作できないようにする安全手段を備えている請求項２０に記載の装置。
【請求項４０】
位置合わせ／固定ピン（１２１）は、関節部（１０２）を真っ直ぐにすることによって作用する力によりピンの先端を破断できるように製造される請求項２１に記載の装置。
【請求項４１】
２つ以上の別個の観察視野を形成する２つ以上の別個の光学チャンネルを備え、各光学チャンネルは、１つの対物レンズ（１９１）と、像を捕らえる手段すなわち像を観察する手段（１９３，１９７）とから成り、各チャンネルは、１または複数の以下の要素、すなわち、ａ）光学リレー系（１９４）と、ｂ）接眼レンズ（１９２）と、ｃ）前記対物レンズで得られた像をイメージセンサ（１９７）および表示装置（２００−２０４）に伝えるのに適した組みレンズ（１９８）とを選択的に有し、各対物レンズ（１９１）は、内視鏡装置の長手方向に沿う異なる位置に配置されている請求項１に記載の内視鏡装置。
【請求項４２】
前記異なる複数の各観察視野は、単眼視野を形成するべく、１つの光学チャンネルによって形成され、あるいは、両眼視野すなわち立体視野を形成するべく、複数の光学チャンネルによって形成される請求項４１に記載の内視鏡装置。
【請求項４３】
前記光学チャンネルおよび前記表示装置構成要素は、前記内視鏡が電磁スペクトルの可視部、紫外線部、赤外線部、Ｘ線部のいずれかで動作できるように選択される請求項４１に記載の内視鏡装置。
【請求項４４】
前記対物レンズ（１９１）、接眼レンズ（１９２）、組みレンズ（１９８）は、所定の焦点距離、複数の焦点距離、可変焦点距離のいずれかを有している請求項４１に記載の内視鏡装置。
【請求項４５】
前記異なる各観察視野は、前記内視鏡の機械的な軸に対して０°から１８０°の角度を成している請求項４１に記載の内視鏡装置。
【請求項４６】
前記各光学チャンネルの視野は、円形および矩形を含むがこれらに限定されない適当な任意の形状を成しており、最大で１８０°以上の視界を有している請求項４２に記載の内視鏡装置。
【請求項４７】
先端（１０８）であって、
ａ）ステープリング装置の要素を受けるのに適したソケット（１１０）と、
ｂ）少なくとも１つの照明チャンネル（１１４）と、
ｃ）光学リレー系（１９４）に連結された少なくとも１つの対物レンズ（１９１）と、
を含む先端（１０８）を備えた請求項１に記載の内視鏡装置。
【請求項４８】
前記先端（１０８）が吸引や洗浄のためのチャンネル（１１２）を更に備えている請求項４７に記載の内視鏡装置。
【請求項４９】
内視鏡装置（４０）の位置決めアッセンブリ（６２，６２Ａ）の２つの要素の相対的な位置を判断する方法であって、超音波信号の送信器（２９０）として機能する１または複数の振動子あるいは振動子アレーと、超音波信号の受信器（２９２）として機能する１または複数の振動子あるいは振動子アレーとを用いて、前記２つの要素間の距離を測定し、この距離からアライメント度合いを判断する方法。
【請求項５０】
内視鏡の長手方向に沿う２つの異なる位置に配置された２つの対象物間の距離やこれら２つの対象物の相対的なアライメントを測定するためのシステムであって、一方の前記対象物上またはその近傍に配置され且つ超音波信号の送信器（２９０）として機能する１または複数の振動子あるいは振動子アレーと、他方の前記対象物上またはその近傍に配置され且つ超音波信号の受信器（２９２）として機能する１または複数の振動子あるいは振動子アレーとを有するシステムを備えた請求項１に記載の内視鏡装置（４０）。
【請求項５１】
超音波信号の受信器として機能する１または複数の振動子あるいは振動子アレーがリフレクタ（３１２，３２０）に取って代えられ、前記超音波信号の送信器として機能する１または複数の振動子あるいは振動子アレーが前記信号の受信（３１３，３２１）としても機能する請求項５０に記載の内視鏡装置。
【請求項５２】
超音波信号の送信および受信（３１３，３２１）の両方に使用される１つの超音波振動子が一方の対象物上またはその近傍に装着され、少なくとも１つのリフレクタ（３１２，３２０）が第２の対象物上またはその近傍に装着され、前記リフレクタは、対象物の互いの位置および方向に変換可能なパターンを戻し反射するのに適している請求項５１に記載の内視鏡装置。
【請求項５３】
１または複数の平面（３１１）と９０°以下の角度で交差することによって１または複数の階段状の形態を形成する２つ以上の平行な反射面（３１０）から成る反射装置（３１２，３２０）を備えている請求項５２に記載の内視鏡装置。
【請求項５４】
段状リフレクタの段の幾つかまたは全ての深さが異なっている請求項５３に記載の内視鏡装置。
【請求項５５】
ステープラーシステムのアンビルユニット（１１５）が位置合わせされる一方の対象物であり、ステープラカートリッジ（１４０）を含むステープラ配置ユニット（１３１）が他方の対象物である請求項４９に記載の方法。
【請求項５６】
ステープラカートリッジ（１３１）を備え、超音波の１または複数のリフレクタ（３１２，３２０）は、前記カートリッジ上、または、カートリッジ内、または、カートリッジの表面の一体部分とし形成されている請求項１に記載の内視鏡装置。
【請求項５７】
ステープラアンビルユニット（１１５）またはステープラカートリッジ（１３１）を備え、送信のみを行う振動子（２９０）、または、受信のみを行う振動子（２９２）、または、送信および受信の両方を行う振動子（３１３，３２１）は、前記ステープラアンビルユニット（１１５）または前記ステープラカートリッジ（１３１）に装着されている請求項１に記載の内視鏡装置。